(57)【要約】【課題】地盤中に断面方形の改良部を形成する２軸噴射式の地盤改良工法。【手段】地中で、下端部の１放射方向に噴射ノズル３，４を具えた１対の回転軸１，２を、噴射ノズル３（または噴射ノズル４）が図示の前向きの状態から横向きの状態になるまで動くときに、噴射ノズル４（または噴射ノズル３）が図示の横向きの状態から前向きの状態になるまで動くように、もしくは、噴射ノズル３，４が前向きの状態から互いに向き合う横向きの状態になるまで動いてから、元の前向きの状態になるまで動くように、同期往復回転させながら、噴射ノズル３，４から地盤改良用の高圧流体を噴射する。【選択図】  図１
2004285805.tif 000002
【特許請求の範囲】
【請求項１】
施工機の前側に所定間隔で横に並設され、下端部の１放射方向に噴射ノズルを具えた１対の回転軸の、地中貫入工程と引き抜き工程の何れか一方もしくは双方において、各回転軸を、一方の回転軸の噴射ノズルが前向きの状態から他方の回転軸の方向を向いた横向きの状態になるまで動くときに、他方の回転軸の噴射ノズルが一方の回転軸の方向を向いた横向きの状態から前向きの状態になるまで動くように、同期往復回転させながら、各回転軸の噴射ノズルから地盤改良用の高圧流体を噴射して、施工機の前方の地盤中に断面方形の柱状改良部を形成することを特徴とする２軸噴射式地盤改良工法。
【請求項２】
施工機の前側に所定間隔で横に並設され、下端部の１放射方向に噴射ノズルを具えた１対の回転軸の、地中貫入工程と引き抜き工程の何れか一方もしくは双方において、各回転軸を、それらの噴射ノズルが、前向きの状態から互いに向き合う横向きの状態になるまで動いてから、元の前向きの状態になるまで動くように、同期往復回転させながら、各回転軸の噴射ノズルから地盤改良用の高圧流体を噴射して、施工機の前方の地盤中に断面方形の柱状改良部を形成することを特徴とする２軸噴射式地盤改良工法。
【発明の詳細な説明】
【０００１】
【発明の属する技術分野】
本発明は、２軸噴射式の地盤改良工法に関するものである。
【０００２】
【従来の技術】
回転軸の下端部に受けた噴射ノズルから地盤改良用の高圧流体を噴射して地盤中に改良部を形成する噴射式地盤改良工法は従来周知（例えば、特公平７−３０５５２号公報参照）であるが、この工法の従来例は、回転軸が１軸で、地盤中に形成される改良部の断面形状が円形に限られていた。
【０００３】
【発明が解決しようとする課題】
本発明は、地盤中に断面形状が方形の改良部を形成することができる点で前述の従来例と異なる２軸噴射式の地盤改良工法を提供することにある。
【０００４】
【課題を解決するための手段】
前記課題を解決するために、本発明の請求項１に係る２軸噴射式地盤改良工法（以下、本発明の第１工法という）では、施工機の前側に所定間隔で横に並設され、下端部の１放射方向に噴射ノズルを具えた１対の回転軸の、地中貫入工程と引き抜き工程の何れか一方もしくは双方において、各回転軸を、一方の回転軸の噴射ノズルが前向きの状態から他方の回転軸の方向を向いた横向きの状態になるまで動くときに、他方の回転軸の噴射ノズルが一方の回転軸の方向を向いた横向きの状態から前向きの状態になるまで動くように、同期往復回転させながら、各回転軸の噴射ノズルから地盤改良用の高圧流体を噴射して、施工機の前方の地盤中に断面方形の改良部を形成するようにしている。
【０００５】
また、本発明の請求項２に係る２軸噴射式地盤改良工法（以下、本発明の第２工法という）では、施工機の前側に所定間隔で横に並設され、下端部の１放射方向に噴射ノズルを具えた１対の回転軸の、地中貫入工程と引き抜き工程の何れか一方もしくは双方において、各回転軸を、それらの噴射ノズルが、前向きの状態から互いに向き合う横向きの状態になるまで動いてから、元の前向きの状態になるまで動くように、同期往復回転させながら、各回転軸の噴射ノズルから地盤改良用の高圧流体を噴射して、施工機の前方の地盤中に断面方形の改良部を形成するようにしている。
【０００６】
なお、本発明の第１工法と第２工法により、施工機を後方に断続的に移動させながら方形の改良部を連続して形成すれば、地中に壁状の改良部を形成することができる。
【０００７】
【発明の実施の形態】
本発明の第１工法の説明図である図１，図２と、本発明の第２工法の説明図である図３，図４とにおいて、１，２は施工機（図示しない）の前側に所定間隔で横に並設された回転軸であり、これら回転軸１，２の下端部には、１放射方向にそれぞれ噴射ノズル３，４が設けられている。
【０００８】
本発明の第１工法と第２工法では、回転軸１，２の地中貫入工程と引き抜き工程の何れか一方もしくは双方において、回転軸１，２を後述の態様で回転させながら、噴射ノズル３，４から地盤改良用の高圧流体を噴射させるが、噴射ノズ３，４から噴射された高圧流体が交差したときに衝突しないように、噴射ノズル３，４は上下方向に位置がずれているのが好ましい。
【０００９】
本発明の第１工法の場合は、噴射ノズル３，４の位置が回転方向に９０°ずれており、図１に示すように、噴射ノズル３が前向きのとき、噴射ノズル４は回転軸１の方向を向いた横向きになっている。
【００１０】
そして、本発明の第１工法では、図１の状態から回転軸１，２を反時計方向に９０°同期回転させ、噴射ノズル３が回転軸２の方を向き、噴射ノズル４が前向きになった図２の状態になってから、回転軸１，２を時計方向に９０°同期回転させて、図１の状態に戻し、このような回転軸１．２の往復回転を繰り返す。
【００１１】
また、本発明の第２工法の場合は、噴射ノズル３，４の回転方向の位置が同じであり、図３に示すように、噴射ノズル３が前向きのとき、噴射ノズル４も前向きになっている。
【００１２】
そして、本発明の第２工法では、図３の状態から回転軸１を反時計方向に、また、回転軸２を時計方向に、それぞれ９０°同期回転させ、噴射ノズル３，４が向き合った図４の状態になってから、回転軸１を時計方向に、また、回転軸２を反時計方向に、それぞれ９０°同期回転させて、図３の状態に戻し、このような回転軸１，２の往復回転を繰り返す。
【００１３】
前述のように回転軸１，２を同期往復回転させる駆動手段として、図の場合は油圧シリンダを用いているが、駆動手段はこれに限定されず、例えば、ギヤ装置を用いてもよいことは言うまでもない。
【００１４】
図１，図２において、５は複動両ロッド形の油圧シリンダから成る駆動手段であり、両ロッド６，７の各先端が、回転軸１，２にそれぞれ突設したブラケットの先端に軸着されている。
【００１５】
また、図３，図４において、８は１対の複動ピストン形の油圧シリンダを背中合わせに接合してなる駆動装置であり、各油圧シリンダのロッド９，１０の各先端が、回転軸１，２にそれぞれ突設したブラケットの先端に軸着されている。
【００１６】
本発明の第１工法と第２工法は、それぞれ前述のように回転軸１，２を回転させながら、噴射ノズル３，４から地盤改良用の高圧流体を噴射させることにより、施工機の前方に断面形状が方形の改良部１１を形成することができる。
【図面の簡単な説明】
【図１】本発明の第１工法における回転軸の回転の始点の状態を示す断面図である。
【図２】本発明の第１工法における回転軸の回転の終点の状態を示す断面図である。
【図３】本発明の第２工法における回転軸の回転の始点の状態を示す断面図である。
【図４】本発明の第２工法における回転軸の回転の終点の状態を示す断面図である。
【符号の説明】
１：回転軸、２：回転軸、３：噴射ノズル、４：噴射ノズル、５：駆動装置、６：ロッド、７：ロッド、８：駆動装置、９：ロッド、１０：ロッド、１１：改良部。
【図１】
2004285805.tif 000003
【図２】
2004285805.tif 000004
【図３】
2004285805.tif 000005
【図４】
2004285805.tif 000006